(57)【要約】【課題】設置作業に際しての作業者の安全性の確保と作業性の向上との両立を図り、鳥類の飛来や営巣を防止すること。【解決手段】棒形状をなす複数の芯棒部材１１１を連結して構成される芯棒部と、芯棒部の軸心周りに螺旋状に巻回された帯形状をなし、当該軸心を中心とする円の外周方向に突出する突起を備えた忌避部と、を備えた営巣防止具１００を構成した。これにより、作業者４００は、充電部に近づいたり、鉄構ビーム３０９を支持するポスト３１０の位置から移動したりすることなく、鉄構ビーム３０９の延設方向に沿って、軸心方向の一端側から芯棒部を押し出すことにより、鉄構ビーム３０９上に営巣防止具１００を設置することができる。【選択図】図６
2020089321.tif 000002
【特許請求の範囲】
【請求項１】
棒形状をなす芯棒部と、
前記芯棒部の軸心周りに螺旋状に巻回された帯形状をなし、当該軸心を中心とする円の外周方向に突出する突起を備えた忌避部と、
を備えたことを特徴とする営巣防止具。
【請求項２】
前記忌避部は、前記軸心方向に沿って弾性変形可能であることを特徴とする請求項１に記載の営巣防止具。
【請求項３】
前記芯棒部は、中空の管形状をなすことを特徴とする請求項１または２に記載の営巣防止具。
【請求項４】
前記芯棒部は、管形状をなす側壁を、当該側壁の厚さ方向に沿って貫通する貫通孔を備えたことを特徴とする請求項３に記載の営巣防止具。
【請求項５】
前記芯棒部は、管形状に成形されたメッシュ状のシート部材によって構成されていることを特徴とする請求項３に記載の営巣防止具。
【請求項６】
前記芯棒部は、
それぞれが棒形状をなす複数の芯棒部材によって構成され、
各前記芯棒部材の長さ方向の端部に設けられて、当該芯棒部材どうしを連結する連結機構を備え、
前記連結機構によって、複数の前記芯棒部材を長さ方向に連結することによって構成されていることを特徴とする請求項１〜５のいずれか一つに記載の営巣防止具。
【請求項７】
前記連結機構は、一方の前記芯棒部材の端部に設けられた凹部と、他方の前記芯棒部材の端部に設けられた凸部と、によって構成されていることを特徴とする請求項６に記載の営巣防止具。
【請求項８】
前記凹部には雌ネジが設けられ、前記凸部には当該雌ネジに螺合する雄ネジが設けられていることを特徴とする請求項７に記載の営巣防止具。
【請求項９】
前記連結機構は、さらに、前記凹部と前記凸部とを嵌合させた状態で当該凹部および当該凸部を貫通する貫通孔と、当該貫通孔に挿入されるピン状部材と、を備えることを特徴とする請求項７に記載の営巣防止具。
【請求項１０】
前記連結機構は、一方の前記芯棒部材の端部に設けられた雌ネジと、他方の前記芯棒部材の端部に設けられて当該雌ネジに螺合する雄ネジと、によって構成されていることを特徴とする請求項６に記載の営巣防止具。
【請求項１１】
棒形状をなす芯棒部と、当該芯棒部の軸心周りに螺旋状に巻回された帯形状をなし、当該軸心を中心とする円の外周方向に突出する突起を備えた忌避部と、を備えた営巣防止具における前記芯棒部を、
前記芯棒部の軸心方向の一端側から設置対象部材の延設方向に沿って押し出すことにより設置対象部材上に設置する、
ことを特徴とする営巣防止具の設置方法。
【発明の詳細な説明】
【技術分野】
【０００１】
この発明は、電気設備に対する鳥類の営巣を防止する営巣防止具および営巣防止具の設置方法に関する。
【背景技術】
【０００２】
営巣防止具は、鳥類の飛来や営巣を抑制することを目的として、受変電設備、発電設備、構内線路設備、雷保護設備などの各種の電気設備に取り付けられる。営巣防止具は、このような各種の電気設備における、鳥類の飛来や営巣に起因する停電事故が発生するおそれがある充電部の周辺に物理的な障害を設けることによって、鳥類の飛来や営巣を抑制する。
【０００３】
従来の営巣防止具は、このような各種の電気設備における充電部への取り付け作業に際して、当該充電部に接近する必要があった。このため、従来の営巣防止具の設置作業に際しては、充電部に接近することによる作業者の感電を回避するために、当該充電部を停電させる必要があった。
【０００４】
関連する技術として、具体的には、従来、たとえば、変電所構内の鉄構、送電線鉄塔等の電気的な充電部が近接する構造体における当該構造体の充電部近傍位置における鳥類の営巣を防止するために、構造体の補強部における複数の補強部材の間を通過して垂直下方に垂下されているロープを有し、ロープを挿通し得る円筒状のパイプ部材からその周囲に斜め下方に向けて放射状に複数の枝部材を突出させて構成した構造体における営巣防止装置および巣の撤去方法に関する技術があった（たとえば、下記特許文献１を参照。）。
【０００５】
また、関連する技術として、具体的には、従来、たとえば、筒状に形成された筒状本体、筒状本体の軸方向に沿って形成された割目部と、割目部を挟んだ両側に設けられたレール部とを有する本体部材と、長板状に形成された取付基部と、複数の針状部と、取付基部の裏面の各レール部に対向する位置に設けられたランナ部とを有する取付部材と、を備えた鳥害防止具に関する技術があった（たとえば、下記特許文献２を参照。）。
【０００６】
また、関連する技術として、具体的には、従来、たとえば、所定間隔毎に配置された複数の鳥害防止部材と、これら鳥害防止部材が引っ掛けられる一対の長尺部材と、を備え、各鳥害防止部材の各挿入孔内に架空電線を挿入することで、架空電線に対して取り付けられる鳥害防止具に関する技術があった（たとえば、下記特許文献３を参照。）。
【先行技術文献】
【特許文献】
【０００７】
【特許文献１】特開２０１２−１２５１７５号公報
【特許文献２】特許第６１００６３６号公報
【特許文献３】特許第５６０２０８０号公報
【発明の概要】
【発明が解決しようとする課題】
【０００８】
しかしながら、上述した特許文献１に記載された従来の技術は、巣の構成要素となる小枝などをロープによって払い落とすことにより営巣を防止するものであって、鳥類の飛来や営巣自体を防止することが難しいという問題があった。
【０００９】
また、上述した特許文献２や特許文献３に記載された従来の技術による鳥害防止具は、いずれも、電線に被せることによって取り付けるものであるため、特別高圧の電路につけることはできない。具体的には、上述した特許文献２や特許文献３に記載された従来の技術による鳥害防止具は、たとえば、発電所や変電所の構内に設けられた鉄構ビームなどのように、当該鉄構ビームを支持するポスト（支柱）などの他の部材と連結されている部材に取り付けることが難しく、鳥類の飛来や営巣を防止することが難しいという問題があった。
【００１０】
この発明は、上述した従来技術による問題点を解消するため、設置作業に際しての作業者の安全性の確保と作業性の向上との両立を図り、鳥類の飛来や営巣を防止することができる営巣防止具および営巣防止具の設置方法を提供することを目的とする。
【課題を解決するための手段】
【００１１】
上述した課題を解決し、目的を達成するため、この発明にかかる営巣防止具は、棒形状をなす芯棒部と、前記芯棒部の軸心周りに螺旋状に巻回された帯形状をなし、当該軸心を中心とする円の外周方向に突出する突起を備えた忌避部と、を備えたことを特徴とする。
【００１２】
また、この発明にかかる営巣防止具は、上記の発明において、前記忌避部が、前記軸心方向に沿って弾性変形可能であることを特徴とする。
【００１３】
また、この発明にかかる営巣防止具は、上記の発明において、前記芯棒部が、中空の管形状をなすことを特徴とする。
【００１４】
また、この発明にかかる営巣防止具は、前記芯棒部が、管形状をなす側壁を、当該側壁の厚さ方向に沿って貫通する貫通孔を備えたことを特徴とする。
【００１５】
また、この発明にかかる営巣防止具は、前記芯棒部が、管形状に成形されたメッシュ状のシート部材によって構成されていることを特徴とする。
【００１６】
また、この発明にかかる営巣防止具は、上記の発明において、前記芯棒部が、それぞれが棒形状をなす複数の芯棒部材によって構成され、各前記芯棒部材の長さ方向の端部に設けられて、当該芯棒部材どうしを連結する連結機構を備え、前記連結機構によって、複数の前記芯棒部材を長さ方向に連結することによって構成されていることを特徴とする。
【００１７】
また、この発明にかかる営巣防止具は、上記の発明において、前記連結機構が、一方の前記芯棒部材の端部に設けられた凹部と、他方の前記芯棒部材の端部に設けられた凸部と、によって構成されていることを特徴とする。
【００１８】
また、この発明にかかる営巣防止具は、上記の発明において、前記凹部には雌ネジが設けられ、前記凸部には当該雌ネジに螺合する雄ネジが設けられていることを特徴とする。
【００１９】
また、この発明にかかる営巣防止具は、上記の発明において、前記連結機構が、さらに、前記凹部と前記凸部とを嵌合させた状態で当該凹部および当該凸部を貫通する貫通孔と、当該貫通孔に挿入されるピン状部材と、を備えることを特徴とする。
【００２０】
また、この発明にかかる営巣防止具は、上記の発明において、前記連結機構が、一方の前記芯棒部材の端部に設けられた雌ネジと、他方の前記芯棒部材の端部に設けられて当該雌ネジに螺合する雄ネジと、によって構成されていることを特徴とする。
【００２１】
また、この発明にかかる営巣防止具の設置方法は、棒形状をなす芯棒部と、当該芯棒部の軸心周りに螺旋状に巻回された帯形状をなし、当該軸心を中心とする円の外周方向に突出する突起を備えた忌避部と、を備えた営巣防止具における前記芯棒部を、前記芯棒部の軸心方向の一端側から設置対象部材の延設方向に沿って押し出すことにより設置対象部材上に設置する、ことを特徴とする。
【発明の効果】
【００２２】
この発明にかかる営巣防止具および営巣防止具の設置方法によれば、設置作業に際しての作業者の安全性の確保と作業性の向上との両立を図り、鳥類の飛来や営巣を防止することができる営巣防止具および営巣防止具の設置方法を提供することができるという効果を奏する。
【図面の簡単な説明】
【００２３】
【図１】この発明にかかる実施の形態の営巣防止具の構成を示す説明図（その１）である。
【図２】この発明にかかる実施の形態の営巣防止具の構成を示す説明図（その２）である。
【図３】発電所に設置される電気設備の一例を示す説明図である。
【図４】この発明にかかる実施の形態の営巣防止具１００の設置作業を示す説明図（その１）である。
【図５】この発明にかかる実施の形態の営巣防止具１００の設置作業を示す説明図（その２）である。
【図６】この発明にかかる実施の形態の営巣防止具１００の設置作業を示す説明図（その３）である。
【図７】この発明にかかる実施の形態の営巣防止具１００の設置作業を示す説明図（その４）である。
【発明を実施するための形態】
【００２４】
以下に添付図面を参照して、この発明にかかる営巣防止具および営巣防止具の設置方法の好適な実施の形態を詳細に説明する。
【００２５】
（営巣防止具の構成）
まず、この発明にかかる実施の形態の営巣防止具の構成について説明する。図１および図２は、この発明にかかる実施の形態の営巣防止具の構成を示す説明図である。図１および図２において、この発明にかかる実施の形態の営巣防止具１００は、芯棒部１１０と、忌避部１２０と、を備えている。
【００２６】
芯棒部１１０は、棒形状をなす。芯棒部１１０は、それぞれが棒形状をなす複数の芯棒部材１１１を長さ方向に沿って連結することによって構成されている。芯棒部１１０を構成する各芯棒部材１１１は、それぞれが中空の管形状をなす。これにより、芯棒部１１０は、中空の筒形状をなす。具体的に、芯棒部材１１１は、たとえば、円筒形状をなす。
【００２７】
円筒形状などの管形状をなす芯棒部１１０は、当該芯棒部１１０を構成する側壁を、当該側壁の厚さ方向に沿って貫通する貫通孔１１２を備えている。貫通孔１１２は、壁面の全体にわたって複数設けられている。このように、側壁の壁面に複数の貫通孔１１２を設けることにより、側壁の壁面貫通孔１１２を設けない態様と比較して貫通孔を塞ぐ分の材料の重量を削減し、芯棒部１１０の軽量化を図ることができる。
【００２８】
芯棒部１１０は、管形状に成形されたメッシュ状のシート部材によって構成されていてもよい。これによっても、薄板状のシート部材を管形状に成形する態様と比較して、メッシュ状のシートが備える隙間を塞ぐ分の材料の重量を削減し、芯棒部１１０の軽量化を図ることができる。
【００２９】
芯棒部材１１１は、絶縁性に優れた材料によって形成されていることが好ましい。絶縁性に優れた材料によって芯棒部材１１１を形成することにより、営巣防止具１００を充電部の近傍に設置する場合にも、芯棒部材１１１（芯棒部１１０）を介して電気が伝達されることを防止し、営巣防止具１００の設置作業にかかる作業者の安全性を確保することができる。
【００３０】
また、芯棒部材１１１は、耐候性に優れた材料によって形成されていることが好ましい。耐候性に優れた材料によって芯棒部材１１１を形成することにより、経時による芯棒部材１１１の劣化を抑制し、長期にわたって営巣防止具１００の安定性を確保することができる。
【００３１】
具体的に、芯棒部材１１１は、たとえば、耐候性や絶縁性に優れたポリカーボネート樹脂、ポリエチレン樹脂などを用いて形成することが好ましい。また、具体的に、芯棒部材１１１は、たとえば、フェノール樹脂やエポキシ樹脂などを用いて形成されるものであってもよい。
【００３２】
芯棒部材１１１の外表面は、芯棒部材１１１を形成する材料の色が露出していてもよく、模様や着色が施されていてもよい。具体的には、たとえば、鳥類が忌避するへびを模した模様や、カラスなどの鳥類が忌避したり認識できない色（黄色など）によって着色したりしてもよい。
【００３３】
芯棒部１１０を構成する芯棒部材１１１どうしは、それぞれ、連結機構２００によって連結されている。連結機構２００は、たとえば、一方の芯棒部材１１１の端部に設けられた凹部と、他方の芯棒部材１１１の端部に設けられた凸部と、によって構成することができる。具体的に、連結機構２００は、中空の管形状をなす芯棒部材１１１における長さ方向の一端側の開口によって実現される凹部２０１と、芯棒部材１１１における長さ方向の他端側の外径寸法を当該凹部の内径寸法と同等程度に細くすることによって実現される凸部２０２と、によって構成することができる。
【００３４】
このような連結機構２００は、各芯棒部材１１１の長さ方向に沿って配列された２本の芯棒部材１１１のうちの一方の芯棒部材１１１ａの一端側に設けられた凹部２０１と、他方の芯棒部材１１１ｂの他端側に設けられた凸部２０２と、を嵌合させることによって、当該２本の芯棒部材１１１を連結する。このように、凹部２０１と凸部２０２との嵌合によって芯棒部材１１１どうしを連結することにより、連結機構２００によって連結された２本の芯棒部材１１１が分離することを防止できる。
【００３５】
連結機構２００において、凹部２０１には雌ネジ２０３が設けられ、凸部２０２には当該雌ネジ２０３に螺合する雄ネジ２０４が設けられている。凹部２０１に設けられた雌ネジ２０３と、凸部２０２に設けられた雄ネジ２０４とは、ピッチ、すなわち、ネジの山と山との間（または谷と谷との間）の寸法が等しい。
【００３６】
このような連結機構２００は、各芯棒部材１１１の長さ方向に沿って配列された２本の芯棒部材１１１のうちの一方の芯棒部材１１１ａの一端側に設けられた凹部２０１に、他方の芯棒部材１１１ｂの他端側に設けられた凸部２０２をねじ込み、雌ネジ２０３と雄ネジ２０４とを螺合させながら凹部２０１と凸部２０２とを嵌合させることによって、当該２本の芯棒部材１１１を連結する。このように、凹部２０１と凸部２０２との嵌合および雄ネジ２０４と雌ネジ２０３との螺合によって芯棒部材１１１どうしを連結することにより、営巣防止具１００の設置作業中や設置後に芯棒部材１１１が分離することを一層確実に防止できる。
【００３７】
忌避部１２０は、帯形状をなす本体部１２１を備えている。本体部１２１の一面側には、当該一面側から離間する方向に突出する複数の突起１２２が設けられている。突起１２２は、たとえば、針のように細い形状をなす。忌避部１２０は、芯棒部１１０の軸心周りに螺旋状に巻回されている。これにより、突起１２２は、芯棒部１１０の軸心を中心とする円の外周方向に突出している。
【００３８】
また、忌避部１２０は、絶縁性に優れた材料によって形成されていることが好ましい。絶縁性に優れた材料によって忌避部１２０を形成することにより、営巣防止具１００を充電部の近傍に設置する場合にも、忌避部１２０を介して電気が伝達されることを防止し、営巣防止具１００の設置作業にかかる作業者の安全性を確保することができる。
【００３９】
また、忌避部１２０は、耐候性に優れた材料によって形成されていることが好ましい。耐候性に優れた材料によって忌避部１２０を形成することによって、経時による忌避部１２０の劣化を抑制することができ、長期にわたって安定して鳥類の忌避効果を維持することができる。
【００４０】
忌避部１２０は、柔軟性あるいは可撓性を示す材料を用いて形成されていることが好ましい。柔軟性あるいは可撓性を示す材料を用いて忌避部１２０を形成することにより、営巣防止具１００に鳥類が飛来した場合に、当該鳥類の体重などに応じて忌避部１２０を適宜変形させることができる。これにより、営巣防止具１００に飛来した鳥類を傷つけることなく忌避させ、営巣を防止することができる。
【００４１】
また、忌避部１２０は、弾性を示す材料を用いて形成されていることが好ましい。弾性を示す材料を用いて忌避部１２０を形成することにより、小型の鳥類が飛来した場合や巣材など比較的軽量な物体が載せられた場合は忌避部１２０を変形させることなく、営巣防止具１００に飛来した鳥類を忌避させ、営巣を確実に防止することができる。
【００４２】
忌避部１２０は、たとえば、エチレンやプロピレンなどのように炭素原子と炭素原子とが二重結合によって結合された脂肪族炭化水素であるオレフィン（アルケン）をモノマーとして合成される高分子化合物であるポリオレフィン系樹脂を用いて形成することができる。具体的には、忌避部１２０は、たとえば、ポリエチレン樹脂やポリプロピレン樹脂などを用いて形成することが好ましい。忌避部１２０は、本体部１２１と突起１２２とを同じ材料を用いて一体に形成されたものであってもよく、本体部１２１と突起１２２とを別体としてそれぞれ異なる材料を用いて形成されたものであってもよい。
【００４３】
忌避部１２０は、芯棒部１１０とは別体とされている。忌避部１２０は、芯棒部材１１１ごとに、当該芯棒部材１１１の軸心方向における長さ寸法にそれぞれ独立して設けられている。この場合、忌避部１２０において、螺旋状に巻回されることによる回転面に直交する方向における長さ寸法は、芯棒部材１１１の軸心方向における長さ寸法と同等とされている。
【００４４】
忌避部１２０を芯棒部材１１１ごとに設けることにより、作業者は、たとえば、営巣防止具１００の設置対象となる鉄構ビームの長さなど、芯棒部１１０に必要とされる長さにあわせて芯棒部材１１１を連結するだけで、連結された芯棒部材１１１の全体の長さに応じた忌避部１２０を整えることができる。これにより、営巣防止具１００の設置作業にかかる作業者の負担軽減を図るとともに作業効率の向上を図ることができる。
【００４５】
忌避部１２０は、芯棒部１１０とは別体とされているため、芯棒部１１０の軸心方向、すなわち、螺旋状に巻回されることによる回転面に直交する方向に沿って弾性変形することができる。芯棒部１１０の軸心周りに螺旋状に巻回されている忌避部１２０は、外力が加えられた際に、収縮することによって当該外力を吸収する。また、忌避部１２０は、加えられた外力から開放された場合に、自身の弾性力によって元の形状に復帰する。
【００４６】
（営巣防止具１００の設置作業）
つぎに、この発明にかかる実施の形態の営巣防止具１００の設置作業について説明する。この発明にかかる実施の形態の営巣防止具１００は、たとえば、発電所や変電所の構内に設けられた電気設備に設置する。図３は、発電所に設置される電気設備の一例を示す説明図である。図３において、変電所の構内には、変圧器３０１、遮断器３０２、断路器３０３、計器用変成器３０４、避雷器３０５などの各種の電気設備が設置されている。
【００４７】
変圧器３０１は、一次側から供給される電気の電圧を変圧して二次側へ送出する。遮断器３０２は、電力回路や電力機器における負荷電流を開閉したり、送電や送電停止あるいは事故発生時に、保護継電器と連携して短絡事故電流などの事故電流を遮断することにより二次側の電気設備を保護して上流側への事故波及を防止したりする。
【００４８】
断路器３０３は、変圧器３０１や遮断器３０２あるいは電線などの点検や修理に際して、電力回路の無負荷時の電圧を開閉する。電気の導通を遮断する計器用変成器３０４、避雷器３０５は、雷などによる異常電圧を電気機器の絶縁耐力よりも低い電圧まで下げることによって、変電所に設置された電気機器を雷などによる異常電圧から保護する。
【００４９】
変電所に設置された各電気機器には、電線３０６が接続されている。各電気機器は、一次側に接続された電線３０６を介して供給される電気を、二次側に接続された電線３０６を介して送出する。電線３０６は、電気機器に接続されるとともに、碍子３０７などを介して当該電気機器の周囲に設けられた屋外鉄構３０８などに支持されている。
【００５０】
屋外鉄構３０８は、形鋼などを用いて形成された鉄構ビーム３０９や鉄構ビーム３０９を支持するポスト（支柱）３１０などによって構成されている。鉄構ビーム３０９やポスト３１０は、たとえば、形鋼をトラス構造などに組み立てた結構構造をなす。鉄構ビーム３０９やポスト３１０を構成する鋼材どうし、および、鉄構ビーム３０９とポスト３１０とは、ボルトやナットを用いて連結されている。
【００５１】
変電所などに設置された各電気機器や電線３０６には、送配電をおこなっている通常時において、接触あるいは近づいた場合に感電の恐れがあるレベルの高電圧が印加されている。すなわち、送配電をおこなっている通常時における各電気機器や電線３０６は、充電状態とされている。屋外鉄構３０８は、充電状態とされた電気機器の近傍に設置されたり、充電状態とされた電線３０６を支持している。
【００５２】
この発明にかかる実施の形態の営巣防止具１００は、たとえば、屋外鉄構３０８における鉄構ビーム３０９に設置する。従来の営巣防止具１００は、鉄構ビームへの取り付け作業に際して、作業者の安全性を確保するために、母線を停電する必要があった。そして、母線を停電することにより、停電範囲は広範囲にわたることがあった。
【００５３】
一方で、変電所の停電は、季節や時間帯に応じた制約があり、停電してしまうことによって供給支障が生じる可能性が高いため、営巣防止具１００の設置作業をおこなうために停電することは容易ではないという現状があった。停電が困難な場合は、労働安全衛生規則などの定めにしたがい、充電部から接近限界距離以上の距離を保った状態で営巣防止具１００の設置作業をおこなわなくてはならない。具体的に、接近限界距離は、たとえば、電圧が６６ｋＶの場合は、６０ｃｍ以上とされる。
【００５４】
しかしながら、足場が制限された不安定な高所において、このような接近限界距離を保った状態で営巣防止具１００の設置作業をおこなうことは、高所からの墜落と感電との両方の危険をともなう。そして、従来の営巣防止具１００は、設置した状態においてはそれぞれに営巣防止効果を発揮するものの、設置作業の安全性については考慮されていないため、停電が困難な場所に対しては営巣防止具１００の設置が困難な場合があった。
【００５５】
これに対し、この発明にかかる実施の形態の営巣防止具１００は、設置作業にかかる作業者の安全性が充分に考慮されている。特に、この発明にかかる実施の形態の営巣防止具１００は、鉄構ビーム３０９に乗り出すことなく、鉄構ビーム３０９内に営巣防止装置を設置でき、鉄構ビーム３０９における営巣を確実に防止することができる。
【００５６】
図４〜図７は、この発明にかかる実施の形態の営巣防止具１００の設置作業を示す説明図である。営巣防止具１００の設置作業に際して、作業者４００は、営巣防止具１００を持って、当該営巣防止具１００の設置対象となる鉄構ビーム３０９を支持するポスト３１０に昇柱する。作業者４００は、営巣防止具１００の設置作業に適した位置まで昇柱する。具体的に、作業者４００は、たとえば、営巣防止具１００の設置対象となる鉄構ビーム３０９と、昇柱しているポスト３１０との連結位置に手が届く位置まで昇柱する。
【００５７】
このとき、作業者４００は、連結した場合に、営巣防止具１００の設置対象となる鉄構ビーム３０９の長さに合わせた長さの芯棒部１１０を構成するために必要な本数の芯棒部材１１１を持ってポスト３１０に昇柱する。芯棒部材１１１は、たとえば、図４に示すように、作業者４００が背負う（担ぐ）ことができる工具袋４０１などに入れることによって、複数本をまとめて運搬することができる。
【００５８】
複数の芯棒部材１１１は、それぞればらした状態で運搬する。これにより、芯棒部材１１１がかさばらず、芯棒部材１１１の運搬にかかる作業負担の軽減を図ることができる。また、複数の芯棒部材１１１は、それぞれ中空形状をなすため、芯棒部材１１１の軽量化が図られ、これによっても芯棒部材１１１の運搬にかかる作業者４００の負担軽減を図ることができる。
【００５９】
営巣防止具１００の設置作業に適した位置まで昇柱すると、作業者４００は、図５に示すように、１本目の芯棒部材１１１（図５における符号５０１を参照）を、鉄構ビーム３０９の延設方向に沿って、鉄構ビーム３０９の一端側から他端側に向けて、当該１本目の芯棒部材１１１の軸心方向の一端側から押し出す（図５における矢印５０２を参照）。そして、１本目の芯棒部材１１１を、当該１本目の芯棒部材１１１の他端が鉄構ビーム３０９の一端側に近づくまで押し出した時点で、２本目の芯棒部材１１１（図６における符号６０１を参照）の一端を１本目の芯棒部材１１１の他端に連結する。
【００６０】
そして、１本目の芯棒部材１１１（５０１）に連結された２本目の芯棒部材１１１（６０１）を、図６に示すように、鉄構ビーム３０９の延設方向に沿って、鉄構ビーム３０９の一端側から他端側に向けて押し出す（図６における矢印６０２を参照）。作業者４００は、作業者４００の手元側にある芯棒部材１１１（たとえば、１本目の芯棒部材１１１（５０１））にあらたな芯棒部材１１１（たとえば、２本目の芯棒部材１１１（６０１））を連結しながら、当該芯棒部材１１１を鉄構ビーム３０９の一端側から他端側に向けて押し出す作業を、鉄構ビーム３０９の長さ分繰り返す。これにより、図７に示すように、鉄構ビーム３０９の一端側から他端側にわたって営巣防止具１００を設置することができる。
【００６１】
芯棒部材１１１を押し出す作業に際しては、芯棒部材１１１を軸心周りに回転させながら、ねじ込むようにしてもよい。忌避部１２０が螺旋形状をなすため、芯棒部材１１１を軸心周りに回転させながらねじ込むことにより、鉄構ビーム３０９におけるポスト３１０との連結位置に対する、軸心方向における本体部１２１どうしの隙間および突起１２２どうしの隙間の位置が変化する。鉄構ビーム３０９やポスト３１０を構成する鋼材どうし、および、鉄構ビーム３０９とポスト３１０との連結位置などにおける凹凸を回避しながら芯棒部材１１１を鉄構ビーム３０９内に押し出すことができる。
【００６２】
また、芯棒部材１１１を押し出す作業に際しては、突起１２２を形成する材料の柔軟性や弾性を利用してもよい。具体的には、たとえば、芯棒部材１１１を押し出す際に、鉄構ビーム３０９やポスト３１０を構成する鋼材どうし、および、鉄構ビーム３０９とポスト３１０との連結位置などにおける凹凸に突き当たった場合は、突起１２２を変形させることによってこれらの凹凸を回避するようにしてもよい。
【００６３】
これにより、複数連結することによって、作業者４００の手元から離れた位置まで押し出す芯棒部材１１１が、鉄構ビーム３０９とポスト３１０との連結位置における凹凸などに引っかかってしまうことを回避することができる。そして、これにより、作業者４００は、充電部に近づいたり、鉄構ビーム３０９を支持するポスト３１０の位置から移動したりすることなく、鉄構ビーム３０９に対して営巣防止具１００を設置することができる。
【００６４】
その後、鉄構ビーム３０９に設置した営巣防止具１００を、結束バンドなどを用いて鉄構ビーム３０９に固定する。これにより、営巣防止具１００が設置後に脱落することを確実に防止することができる。この際、結束バンドは、たとえば、芯棒部材１１１に設けられた複数の貫通孔のうちの任意の貫通孔に通した状態で、鉄構ビーム３０９を構成する鋼材に固定する。
【００６５】
また、芯棒部材１１１には、営巣防止具１００を鉄構ビーム３０９に固定するための専用の貫通孔やリング（いずれも図示を省略する）を設けてもよい。この場合、専用の貫通孔やリングに結束バンドを通した状態で、当該結束バンドを鉄構ビーム３０９を構成する鋼材に固定する。これによっても、営巣防止具１００を鉄構ビーム３０９に固定することができる。
【００６６】
１つの鉄構ビーム３０９内に設置する営巣防止具１００は、１つに限らない。営巣防止具１００は、１つの鉄構ビーム３０９内に複数設置してもよい。この場合も、芯棒部材１１１を軸心周りに回転させながらねじ込むことにより、先に設置された営巣防止具１００における突起１２２を回避し、後から設置する営巣防止具１００によって先に設置された営巣防止具１００を押し出すことなく、１つの鉄構ビーム３０９内に複数の営巣防止具１００を設置することができる。
【００６７】
上述した実施の形態においては、各芯棒部材１１１の長さ方向に沿って配列された２本の芯棒部材１１１のうちの一方の芯棒部材１１１ａの一端側に設けられた凹部２０１および雌ネジ２０３と、他方の芯棒部材１１１ｂの他端側に設けられた凸部２０２および雄ネジ２０４と、を備えた連結機構２００について説明したが、この発明にかかる連結機構の構成はこれに限るものではない。
【００６８】
この発明にかかる連結機構は、たとえば、各芯棒部材１１１の長さ方向に沿って配列された２本の芯棒部材１１１のうちの一方の芯棒部材１１１ａの一端側に設けられた凹部と、他方の芯棒部材１１１ｂの他端側に設けられた凸部と、によって構成されるものであってもよい。このような構成の連結機構によれば、凹部と凸部とを嵌合させることによって、２本の芯棒部材１１１を連結することができる。
【００６９】
また、このように凹部と凸部とを嵌合させることによって２本の芯棒部材１１１を連結する連結機構においては、一方の芯棒部材１１１ａおよび他方の芯棒部材１１１ｂに、凹部と凸部とを嵌合させた状態で当該凹部および当該凸部を貫通する貫通孔（図示を省略する）を設け、当該貫通孔にピン状部材（図示を省略する）を挿入することによって、連結された２本の芯棒部材１１１が分離しないように固定するようにしてもよい。これにより、凹部と凸部とを嵌合させるだけで２本の芯棒部材１１１を容易に連結することができ、かつ、連結された２本の芯棒部材１１１が営巣防止具１００の設置作業中に分離しないように確実に固定することができる。
【００７０】
この場合、ピン状部材は、たとえば、割ピンによって実現することができる。割ピンは、断面が半円形をなす針金を、半円における平らな面を内側にして、二つ折りにすることによって形成されている。割ピンを用いる場合、２本の芯棒部材１１１の連結に際しては、凹部および凸部を貫通する貫通孔を貫通させた割ピンを、割れ目を広げるようにして曲げてもよい。これにより、割ピンを抜けにくくして、連結された２本の芯棒部材１１１が営巣防止具１００の設置作業中に分離しないように確実に固定することができる。
【００７１】
また、各芯棒部材１１１の長さ方向における少なくとも端部に貫通孔（図示を省略する）を設け、一方の芯棒部材１１１ａと他方の芯棒部材１１１ｂとを、当該貫通孔に通した結束バンドで固定するようにしてもよい。これにより、営巣防止具１００における連結機構の構成を簡易化することができる。
【００７２】
以上説明したように、この発明にかかる実施の形態の営巣防止具１００は、棒形状をなす芯棒部１１０と、芯棒部１１０の軸心周りに螺旋状に巻回された帯形状をなし、当該軸心を中心とする円の外周方向に突出する突起１２２を備えた忌避部１２０と、を備えたことを特徴としている。
【００７３】
この発明にかかる実施の形態の営巣防止具１００によれば、作業者４００は、充電部に近づいたり、鉄構ビーム３０９を支持するポスト３１０の位置から移動したりすることなく、鉄構ビーム３０９の延設方向に沿って、軸心方向の一端側から芯棒部１１０を押し出すことにより、鉄構ビーム３０９上に営巣防止具１００を設置することができる。
【００７４】
これにより、母線停電などの停電をともなうことなく、作業者４００は安全な位置にとどまった状態で、鉄構ビーム３０９に対して営巣防止具１００を設置することができる。このため、作業場所を移動することがないため、移動中に足を踏み外すなどによる墜落の危険を最小限に抑えることができる。そして、これによって、設置作業に際しての作業者４００の安全性の確保と作業性の向上との両立を図り、鳥類の飛来や営巣を防止することができる。
【００７５】
また、この発明にかかる実施の形態の営巣防止具１００によれば、芯棒部材１１１を軸心周りに回転させながらねじ込むことによって、鉄構ビーム３０９やポスト３１０を構成する鋼材どうし、および、鉄構ビーム３０９とポスト３１０との連結位置などにおける凹凸を回避しながら芯棒部材１１１を鉄構ビーム３０９内に押し出すことができる。これにより、鉄構ビーム３０９に凹凸がある場合にも、確実に営巣防止具１００を設置することができ、鳥類の飛来や営巣を確実に防止することができる。
【００７６】
また、この発明にかかる実施の形態の営巣防止具１００によれば、営巣防止具１００自体は可動部を有していないため、経時による劣化などに起因して可動部における可動性が低下するなどの機能低下を生じない。これにより、長期にわたって確実な営巣防止効果を維持するとともに、たとえば、一旦設置した営巣防止具１００が不要になった場合は、取り外して別の場所において再利用することができる。
【００７７】
また、この発明にかかる実施の形態の営巣防止具１００は、忌避部１２０が、軸心方向に沿って弾性変形可能であることを特徴としている。
【００７８】
この発明にかかる実施の形態の営巣防止具１００によれば、鉄構ビーム３０９を支持するポスト３１０と鉄構ビーム３０９との連結部位など、設置位置における凹凸に応じて忌避部１２０を弾性変形させることができる。これにより、棒形状をなす芯棒部１１０が設置位置から浮き上がってしまうことを回避し、鉄構ビーム３０９に対して営巣防止具１００を確実に設置することができる。
【００７９】
また、この発明にかかる実施の形態の営巣防止具１００は、芯棒部１１０が、中空の管形状をなすことを特徴としている。
【００８０】
この発明にかかる実施の形態の営巣防止具１００によれば、営巣防止具１００の軽量化を図ることができる。これにより、作業者４００は、鉄構ビーム３０９を支持するポスト３１０の位置から移動することなく芯棒部１１０を容易に押し出すことができるので、営巣防止具１００の設置作業をおこなう作業者４００の負担軽減を図ることができる。また、営巣防止具１００の軽量化を図ることにより、営巣防止具１００の取り扱い性の容易化を図り作業効率の向上を図ることができる。
【００８１】
また、この発明にかかる実施の形態の営巣防止具１００は、芯棒部１１０が、管形状をなす側壁を、当該側壁の厚さ方向に沿って貫通する貫通孔１１２を備えたことを特徴としている。
【００８２】
この発明にかかる実施の形態の営巣防止具１００によれば、側壁の壁面に複数の貫通孔１１２を設けることにより、側壁の壁面貫通孔１１２を設けない態様と比較して貫通孔１１２を塞ぐ分の材料の重量を削減し、芯棒部１１０の軽量化を図ることができる。これにより、営巣防止具１００の取り扱い性の容易化を図ることができ、営巣防止具１００の設置作業をおこなう作業者４００の負担軽減を図るとともに、作業効率の向上を図ることができる。
【００８３】
また、この発明にかかる実施の形態の営巣防止具１００は、芯棒部１１０が、管形状に成形されたメッシュ状のシート部材によって構成されていることを特徴としている。
【００８４】
この発明にかかる実施の形態の営巣防止具１００によれば、管形状に成形されたメッシュ状のシート部材によって芯棒部材１１１を構成することにより、薄板状のシート部材を管形状に成形する態様と比較して、メッシュ状のシートが備える隙間を塞ぐ分の材料の重量を削減し、芯棒部１１０の軽量化を図ることができる。これにより、営巣防止具１００の取り扱い性の容易化を図ることができ、営巣防止具１００の設置作業をおこなう作業者４００の負担軽減を図るとともに、作業効率の向上を図ることができる。
【００８５】
また、この発明にかかる実施の形態の営巣防止具１００は、芯棒部１１０が、それぞれが棒形状をなす複数の芯棒部材１１１によって構成され、各芯棒部材１１１の長さ方向の端部に設けられて、当該芯棒部材１１１どうしを連結する連結機構２００を備え、連結機構２００によって、複数の芯棒部材１１１を長さ方向に連結することによって構成されていることを特徴としている。
【００８６】
この発明にかかる実施の形態の営巣防止具１００によれば、営巣防止具１００の設置対象とする鉄構ビーム３０９の長さに応じた数の芯棒部材１１１を長さ方向に連結することによって、営巣防止具１００の設置対象とする鉄構ビーム３０９の長さにかかわらず、充電部に近づいたり、鉄構ビーム３０９を支持するポスト３１０の位置から移動したりすることなく、鉄構ビーム３０９に対して営巣防止具１００を設置することができる。
【００８７】
これにより、鉄構ビーム３０９の長さ方向に沿って、安全に作業ができるポスト３１０から反対側のポスト３１０までの全体にわたって営巣防止具１００を設置することができる。また、営巣防止具１００を上から設置することができない、結構構造をなす鉄構ビーム３０９の内側であっても、営巣防止具１００を設置することができる。これによって、設置作業に際しての作業者４００の安全性の確保と作業性の向上との両立を図り、鳥類の飛来や営巣を防止することができる。
【００８８】
また、この発明にかかる実施の形態の営巣防止具１００は、連結機構２００が、一方の芯棒部材１１１ａの端部に設けられた凹部２０１と、他方の芯棒部材１１１ｂの端部に設けられた凸部２０２と、によって構成されていることを特徴としている。
【００８９】
この発明にかかる実施の形態の営巣防止具１００によれば、凹部２０１と凸部２０２との嵌合によって芯棒部材１１１どうしを連結することにより、設置作業中や設置後に芯棒部材１１１が分離することを確実に防止できる。これにより、作業者４００は、複数の芯棒部材１１１を連結した芯棒部１１０が分解してしまうことを懸念することなく、鉄構ビーム３０９に対して営巣防止具１００を設置することができる。
【００９０】
また、この発明にかかる実施の形態の営巣防止具１００は、凹部２０１には雌ネジ２０３が設けられ、凸部２０２には当該雌ネジ２０３に螺合する雄ネジ２０４が設けられていることを特徴としている。
【００９１】
この発明にかかる実施の形態の営巣防止具１００によれば、凹部２０１と凸部２０２との嵌合および雄ネジ２０４と雌ネジ２０３との螺合によって芯棒部材１１１どうしを連結することにより、設置作業中や設置後に芯棒部材１１１が分離することを一層確実に防止できる。これにより、作業者４００は、複数の芯棒部材１１１を連結した芯棒部１１０が分解してしまうことを懸念することなく、鉄構ビーム３０９に対して営巣防止具１００を設置することができる。
【００９２】
雌ネジ２０３および雄ネジ２０４の方向は、芯棒部材１１１を軸心周りに回転させながらねじ込む際に、ねじ込み（推進）方向に芯棒部材１１１が回転するにともなって締まるような方向にネジ切られていることが好ましい。これにより、営巣防止具１００の設置に際して芯棒部材１１１をねじ込むことによって連結機構２００による連結を確実におこなうことができる。
【００９３】
また、この発明にかかる実施の形態の営巣防止具１００は、連結機構２００が、さらに、凹部２０１と凸部２０２とを嵌合させた状態で当該凹部２０１および当該凸部２０２を貫通する貫通孔と、当該貫通孔に挿入されるピン状部材と、を備えていてもよい。
【００９４】
このような営巣防止具１００によれば、凹部２０１と凸部２０２とを嵌合させることによって連結された芯棒部材１１１どうしに、割ピンなどのピン状部材を貫通させることによって、設置作業中や設置後に芯棒部材１１１が分離することを一層確実に防止できる。これにより、作業者４００は、複数の芯棒部材１１１を連結した芯棒部１１０が分解してしまうことを懸念することなく、鉄構ビーム３０９に対して営巣防止具１００を設置することができる。
【００９５】
また、この発明にかかる実施の形態の営巣防止具１００は、連結機構２００が、一方の芯棒部材１１１ａの端部に設けられた雌ネジ２０３と、他方の芯棒部材１１１ｂの端部に設けられて当該雌ネジ２０３に螺合する雄ネジ２０４と、によって構成されていてもよい。具体的には、一方の芯棒部材１１１ａの端部にネジ穴を備える部材を取り付け、他方の芯棒部材１１１ｂの端部にボルトの頭部を溶接などによって固定することによって連結機構２００を構成してもよい。
【００９６】
このような営巣防止具１００によれば、雌ネジ２０３と雄ネジ２０４との螺合によって芯棒部材１１１どうしを連結することにより、設置作業中や設置後に芯棒部材１１１が分離することを確実に防止できる。これにより、作業者４００は、複数の芯棒部材１１１を連結した芯棒部１１０が分解してしまうことを懸念することなく、鉄構ビーム３０９に対して営巣防止具１００を設置することができる。
【００９７】
また、この発明にかかる実施の形態の営巣防止具１００の設置方法は、棒形状をなす芯棒部１１０と、当該芯棒部１１０の軸心周りに螺旋状に巻回された帯形状をなし、当該軸心を中心とする円の外周方向に突出する突起１２２を備えた忌避部１２０と、を備えた営巣防止具１００における芯棒部１１０を、芯棒部１１０の軸心方向の一端側から設置対象部材の延設方向に沿って押し出すことにより設置対象部材上に設置するようにしたことを特徴としている。
【００９８】
この発明にかかる実施の形態の営巣防止具１００の設置方法によれば、作業者４００は、充電部に近づいたり、鉄構ビーム３０９を支持するポスト３１０の位置から移動したりすることなく、鉄構ビーム３０９に対して営巣防止具１００を設置することができる。これにより、設置作業に際しての作業者４００の安全性の確保と作業性の向上との両立を図り、鳥類の飛来や営巣を防止することができる。
【産業上の利用可能性】
【００９９】
以上のように、この発明にかかる営巣防止具および営巣防止具の設置方法は、電気設備に対する鳥類の営巣を防止する営巣防止具および営巣防止具の設置方法に有用であり、特に、特別高圧などの充電部に近接する鉄構ビームに対する鳥類の営巣を防止する営巣防止具および営巣防止具の設置方法に適している。
【符号の説明】
【０１００】
１００  営巣防止具
１１０  芯棒部
１１１、１１１ａ、１１１ｂ  芯棒部材
１１２  貫通孔
１２０  忌避部
１２１  本体部
１２２  突起
２００  連結機構
２０１  凹部
２０２  凸部
２０３  雌ネジ
２０４  雄ネジ
３０８  屋外鉄構
３０９  鉄構ビーム
【図１】
2020089321.tif 000003
【図２】
2020089321.tif 000004
【図３】
2020089321.tif 000005
【図４】
2020089321.tif 000006
【図５】
2020089321.tif 000007
【図６】
2020089321.tif 000008
【図７】
2020089321.tif 000009